(57)【特許請求の範囲】
【請求項１】
横長矩形状シート体の左右両側の面をそれぞれ中央シート面より狭幅にカットして左シート面及び右シート面を形成し、前記中央シート面の前記左シート面側における幅方向に前記右シート面の側端部が挿通可能な第１スリットを刻設する一方、該中央シート面の前記右シート面側における幅方向に前記左シート面の側端部が挿通可能な２本のスリットを間をあけて刻設し、該２本のスリットは、中央シート面に近い側から第２スリット及び第３スリットとし、
また、前記中央シート面の幅方向中心において縦方向に第４スリットを刻設すると共に、該第４スリットの両端部の夫々において、前記中央シート面の長手方向に第５スリット及び第６スリットを刻設して、前記中央シート面に左扉部及び右扉部を形成し、前記中央シート面を開閉可能にし、
一方、前記中央シート面の裏面には、１枚の基部と、右糊代部と、左糊代部と、前記基部及び前記右糊代部を連結する右連結部と、前記基部及び前記左糊代部を連結する左連結部とから構成され、前記基部と前記右連結部とが山折りの第１折り線を介して連結され、前記基部と前記左連結部とが山折りの第２折り線を介して連結され、前記右連結部と前記右糊代部とが谷折りの第３折り線を介して連結され、前記左連結部と前記左糊代部とが谷折りの第４折り線を介して連結されて一枚のシートで形成されているポップアップ片が、前記左右糊代部を介して前記左扉部及び前記右扉部に跨るように貼設されて折り畳みシート本体を形成し、
前記ポップアップ片を折り畳んで、前記中央シート面の前記左扉部及び前記右扉部の裏面に貼着した後、前記右シート面を前記第２スリットから山折りにして内側に折り畳み、該右シート面の側端部を前記第１スリットに挿通し、しかる後前記左シート面を前記第１スリットから山折りにして内側に折り畳み、該左シート面の側端部を前記第３スリット、前記第２スリットの順に挿通して、前記左右シート面の各側端部を外側に引っ張ることにより前記中央シート面が山型に盛り上がり、同時に前記中央シート面に形成された前記左扉部及び前記右扉部が開いて窓部を形成し、該窓部の中から前記ポップアップ片がポップアップするように構成したことを特徴とする折り畳みシート体。
【請求項２】
前記ポップアップ片は、前記基部の底辺が前記第５スリットに沿うように、前記中央シート面の裏面に貼設されていることを特徴とする請求項１に記載の折り畳みシート体。
【請求項３】
前記ポップアップ片の前記基部に、突出片が貼設されていることを特徴とする請求項１又は請求項２に記載の折り畳みシート体。
【発明の詳細な説明】
【技術分野】
【０００１】
本発明は、折り畳みシート体に関し、さらに詳細には、折り畳みシート本体の左右の側端部を外側に引っ張ることにより中央シート面が山型に盛り上がり、同時にこの中央シート面に形成された左右扉部が開いて窓部が形成され、この窓部の内部よりポップアップ片がポップアップするように構成された折り畳みシート体に関する。
【背景技術】
【０００２】
従来、折り畳みシート体として、例えば写真、切手、シール等の紙片を添付するためのもの、あるいは、内面や外面に文字や図形等を印刷してパンフレットや地図として使用するようにしたものが公知である。しかしながら、これらの折り畳みシート体は、実用性の面ではともかく、折り畳まれたシート体を拡げたときの意外性や娯楽性に乏しく、このため、かかる折り畳みシート体を例えば書籍等の商品の拡販目的や乳幼児の知育目的、あるいは遊び道具等の面で役立てることは不可能であった。
【０００３】
これに対し、例えば特許文献１には、子供向けの絵本や月刊誌の付録等に使用し、鑑賞用の置物や子供の遊び道具としての使用を目的とした組み立て式用紙が提案されている。なお、この発明は組み立てた立体の底面用紙部にホログラムを設け、外部からのぞき見るようにしたものである。
【０００４】
しかしながら、このような組み立て式用紙による発明は、組み立てられた組立体はそのものを操作して楽しむものではなく、やはり依然として上述した意外性や娯楽性に乏しく、このため商品の拡販目的や用事の知育目的あるいは遊び道具等として使用面では満足できるものではなかった。
【０００５】
そこで、従来、立体的に組み立てられた組立体の操作体を操作して楽しむようにした一種の折り畳みシート体が特許文献２で「立体物素材」として知られている。この「立体物素材」とは、グリーティングカードや絵本等に使用されるもので、本体の一部、例えば猫の胴体に組み付けられた操作体である尻尾部分を外側に引っ張ることにより、眠っていた猫が顔を持ち上げるように構成されたものである。しかしながら、この立体物素材は、顔部を含む本体、尻尾部分の操作体、腹体等をそれぞれ別個にシート材から形成し、これらを接着剤等を用いて組み立て、この組み立て体を台体上に固定して使用するようにしたものであるので、構造が複雑でかつ製造工数が多いことから製造コストが高くなる欠点があった。
【特許文献１】特開２００５−８１７２７号公報
【特許文献２】特開平１０−３２４０８０号公報
【発明の開示】
【発明が解決しようとする課題】
【０００６】
本発明は、上述したような実情に鑑みてなされたもので、その目的とするところは、意外性や娯楽性に富み、また商品の拡販目的や乳幼児の知育目的等の面でも有効な折り畳みシート体を提供することにある。
【課題を解決するための手段】
【０００７】
本発明の上記目的は、横長矩形状シート体の左右両側の面をそれぞれ中央シート面より狭幅にカットして左シート面及び右シート面を形成し、前記中央シート面の前記左シート面側における幅方向に前記右シート面の側端部が挿通可能な第１スリットを刻設する一方、該中央シート面の前記右シート面側における幅方向に前記左シート面の側端部が挿通可能な２本のスリットを間をあけて刻設し、該２本のスリットは、中央シート面に近い側から第２スリット及び第３スリットとし、また、前記中央シート面の幅方向中心において縦方向に第４スリットを刻設すると共に、該第４スリットの両端部の夫々において、前記中央シート面の長手方向に第５スリット及び第６スリットを刻設して、前記中央シート面に左扉部及び右扉部を形成し、前記中央シート面を開閉可能にし、一方、前記中央シート面の裏面には、１枚の基部と、右糊代部と、左糊代部と、前記基部及び前記右糊代部を連結する右連結部と、前記基部及び前記左糊代部を連結する左連結部とから構成され、前記基部と前記右連結部とが山折りの第１折り線を介して連結され、前記基部と前記左連結部とが山折りの第２折り線を介して連結され、前記右連結部と前記右糊代部とが谷折りの第３折り線を介して連結され、前記左連結部と前記左糊代部とが谷折りの第４折り線を介して連結されて一枚のシートで形成されているポップアップ片が、前記左右糊代部を介して前記左扉部及び前記右扉部に跨るように貼設されて折り畳みシート本体を形成し、前記ポップアップ片を折り畳んで、前記中央シート面の前記左扉部及び前記右扉部の裏面に貼着した後、前記右シート面を前記第２スリットから山折りにして内側に折り畳み、該右シート面の側端部を前記第１スリットに挿通し、しかる後前記左シート面を前記第１スリットから山折りにして内側に折り畳み、該左シート面の側端部を前記第３スリット、前記第２スリットの順に挿通して、前記左右シート面の各側端部を外側に引っ張ることにより前記中央シート面が山型に盛り上がり、同時に前記中央シート面に形成された前記左扉部及び前記右扉部が開いて窓部を形成し、該窓部の中から前記ポップアップ片がポップアップするように構成したことを特徴とする折り畳みシート体を提供することによって、達成される。
【０００８】
また、本発明の上記目的は、前記ポップアップ片は、前記基部の底辺が前記第５スリットに沿うように、前記中央シート面の裏面に貼設されていることを特徴とする折り畳みシート体を提供することによって、効果的に達成される。
【０００９】
さらにまた、本発明の上記目的は、前記ポップアップ片の前記基部に、突出片が貼設されていることを特徴とする折り畳みシート体を提供することによって、より効果的に達成される。
【発明の効果】
【００１０】
本発明に係る折り畳みシート体によれば、折り畳みシート本体の左右の側端部を外側に引っ張ることにより、中央シート面が山型に盛り上がり、同時にこの中央シート面に形成された左右扉部が開いて窓部が形成され、この窓部の内部よりポップアップ片がポップアップするように構成されているので、使用者が意外な驚き及び娯楽性をもって、その動きを楽しむことができる。
【００１１】
また、本発明に係る折り畳みシート体に絵柄又は文字等のデザインを施し、このデザインを宣伝広告用とすることにより商品の拡販を図ることを目的としたり、またこのデザインを簡単な文字や数字、あるいはキャラクター等の絵柄とすることにより乳幼児の知育目的にも適用することができる。
【発明を実施するための最良の形態】
【００１２】
以下、本発明に係る折り畳みシート体について、図面を参照しながら詳細に説明する。なお、本発明は必ずしも以下の実施形態に限定されるものではなく、特許請求の範囲を逸脱しない範囲において、その構成を適宜に変更できることはいうまでもない。
【００１３】
図１は、本発明に係る折り畳みシート体（以下、「本折り畳みシート体」という）１０の展開正面図、図２は本折り畳みシート体１０の展開背面図、図３及び図４は、図１及び図２に示す本折り畳みシート体１０の組み立て方法を順に示す、背面（裏面）から見たときの説明図である。
【００１４】
本折り畳みシート体１０は、横長矩形状シート体１１の左右両側の面をそれぞれ中央シート面１２より狭幅にカットして左シート面１３及び右シート面１４を形成し、中央シート面１２の左シート面１３側における幅方向に右シート面１４の側端部１４Ａが挿通可能な第１スリット１５を刻設する一方、中央シート面１２の右シート面１４側における幅方向に左シート面１３の側端部１３Ａが挿通可能な２本のスリット１６，１７を間Ｗをあけて刻設し、該２本のスリット１６，１７は、中央シート面１２に近い側から第２スリット１６及び第３スリット１７とし、また、中央シート面１２の幅方向中心において幅方向に第４スリット１８を刻設すると共に、この第４スリット１８の両端部１８Ａ，１８Ｂの夫々において、中央シート面１２の長手方向に第５スリット１９及び第６スリット２０を刻設して、中央シート面１２に左扉部１２Ｌ及び右扉部１２Ｒを形成し、中央シート面１２を開閉可能にしている。
【００１５】
一方、図２に示すように、中央シート面１２の裏面には、ポップアップ片２１が左扉部１２Ｌ及び右扉部１２Ｒに跨るように、糊やセロハンテープ等の公知の種々の接着手段により貼設されて折り畳みシート本体１０が構成されている。
【００１６】
図５にポップアップ片２１の平面図を示す。図示するように、ポップアップ片２１は、１枚の基部２２と、右糊代部２３Ｒと、左糊代部２３Ｌと、基部２２及び右糊代部２３Ｒを連結する右連結部２４Ｒと、基部２２及び左糊代部２３Ｌを連結する左連結部２４Ｌとから構成されている。このポップアップ片２１の基部２２と右連結部２４Ｒとが山折りの第１折り線２５を介して連結され、基部２２と左連結部２４Ｌとが山折りの第２折り線２６を介して連結され、右連結部２４Ｒと右糊代部２３Ｒとが谷折りの第３折り線２７を介して連結され、左連結部２４Ｌと左糊代部２３Ｌとが谷折りの第４折り線２８を介して連結されて一枚のシートで形成されている。なお、このポップアップ片２１の左右糊代部２３Ｌ，２３Ｒの形状は図示するものに限定されず、種々の形状とすることができ、また、左右連結部２４Ｌ，２４Ｒの形状についても、図示するものに限定されるものではなく、基部２２と糊代部２３とを連結する役目を果たす形状であれば、公知の種々のものとすることができる。
【００１７】
このポップアップ片２１は、図２に示すように、左右糊代部２３Ｌ，２３Ｒを介して左扉部１２Ｌ及び右扉部１２Ｒに跨るように貼設されている。ポップアップ片２１は、中央シート面１２の裏面で、かつ左扉部１２Ｌ及び右扉部１２Ｒに跨るように貼設されていれば良い。しかしながら、図２に示すように、ポップアップ片２１の基部２２の底辺２２Ａが、第５スリット１９に沿うように、左扉部１２Ｌ及び右扉部１２Ｒの裏面にポップアップ片２１を貼着することがより好ましい。
【００１８】
なお、左シート面１３を中央シート面１２より狭幅にカットする際には、両シート面の境界両端部に先端形状が山型状のストッパ１２Ｓが形成される。このストッパ１２Ｓは、後述するように左シート面１３及び右シート面１４の引っ張り範囲を限定する機能を有している。
【００１９】
このように構成された本折り畳みシート本体１０Ａにおいて、図３に示すように、ポップアップ片２１を折り畳んで、中央シート面１２の左扉部１２Ｌ及び右扉部１２Ｒの裏面に貼着してから、図４に示すように、右シート面１４を第２スリット１６から山折りにして内側に折り畳み、すなわち、第２スリット１６に接続して幅方向に刻設された山折り線１６Ａを山折りにして右シート面１４を内側に折り畳み、右シート面１４の側端部１４Ａを第１スリット１５に挿通する。その後、図５に示すように、左シート面１３を第１スリット１５から山折りにして内側に折り畳み、すなわち第１スリット１５に接続して幅方向に刻設された山折り線１５Ａを山折りにして左シート面１３を内側に折り畳み、左シート面１３の側端部１３Ａを第３スリット１７、第２スリット１６の順に挿通することにより、本折り畳みシート体１０が組み立てられる。
【００２０】
次に、図６〜図９を用いて上述のとおり組み立てられた本折り畳みシート体１０の使用方法を説明する。
【００２１】
図６は、図４に背面図で示される本折り畳みシート体１０の正面図（上面図）で、使用者側から見た図である。図示される本折り畳みシート体１０は、図５に示されるものと左右が逆になっており、中央シート面１２の左側端部すなわち第２スリット１６から左シート面１３の側端部１３Ａが露出し、中央シート面１２の右側端部すなわち第１スリット１４からは右シート面１４の側端部１４Ａが露出した状態となっている。
【００２２】
この状態において左シート面１３の側端部１３Ａ及び右シート面１４の側端部１４Ａをそれぞれ指先で持って矢印Ｙ１で示す左右方向に同時に引っ張ると、この引張り力により中央シート面１２が第１スリット１５及び第２スリット１６部分から立ち上げられて隆起する。この中央シート面１２の隆起作用に連動して、図７に示すように、左扉部１２Ｌ及び右扉部１２Ｒが矢印Ｙ２で示すように左右に開閉し、窓部１２Ｗが形成され、この窓部１２Ｗの中からポップアップ片２８がポップアップし始める。
【００２３】
そして、さらに左シート面１３の側端部１３Ａ及び右シート面１４の側端部１４Ａを矢印Ｙ１方向に引っ張ると、中央シート面１２はさらに隆起し、最終状態では図８に上面図で示すように、左扉部１２Ｌ及び右扉部１２Ｒが開閉して形成された窓部１２Ｗの中から、ポップアップ片２１が完全に外にポップアップする。なお、本折り畳みシート体１０の最終状態とは、図９に図８の背面図で示すように、ストッパ１２Ｓの山型に形成された先端部が第３スリット１７に係止された状態をいう。
【００２４】
図１０は、図８に示す最終状態における本折り畳みシート体１０の斜視図である。図示するように、この最終状態においては、中央シート面１２の左扉部１２Ｌ及び右扉部１２Ｒが起立し、それにより中央シート面１２に窓部１２Ｗが形成され、この窓部１２Ｗの中からポップアップ片２１がポップアップされているので、使用者、とくに乳幼児等はこの組立体を見て楽しむことができる。
【００２５】
また、本折り畳みシート体１０は、本折り畳みシート本体１０Ａの少なくともポップアップ片の表面に絵柄又は文字から成るデザインを施し、このデザインを宣伝広告用とすることにより、商品の拡販を図ることを目的としたり、あるいはこのデザインを簡単な文字や数字、あるいはキャラクター等の絵柄とすることにより乳幼児の知育目的にも適用することができる。
【００２６】
また、上述したように、本折り畳みシート体１０は、少ない工数で組み立てることができ、また組み立て方法も容易であるので、製造コストを低くすることができる。
【００２７】
以上、本発明の内容を一実施形態に基づき説明したが、本発明は必ずしもこの実施形態に限定されるものでなく、その構成を下記のように変更することもできる。
【００２８】
すなわち、本発明の他の実施形態に係る品折り畳みシート体１０′は、図１１にその最終状態における斜視図で示すように、ポップアップ片２１の基部２２に突出片２９が貼設されている。なお、本折り畳みシート体１０′は、突出片２９が貼設されていることを除くその他の点は、上述した折り畳みシート体１０と実質的に同一であるので、以下では同一の構成要素には同一の符号を付し、その説明を省略する。
【００２９】
図１１に示すように、ポップアップ片２１の基部２２に突出片２９を貼設することにより、より様々な組立体を楽しむことができる。なお、この突出片２９は、中央シート面１２に形成される窓部１２Ｗより小さい大きさである。また、図１１では突出片２９は略三角形の形状としているが、この他、例えば星型、ハート型、円形、ツリー形状等、公知の種々の形状とすることができる。
【００３０】
また、本折り畳みシート体１０′は、本折り畳みシート本体１０Ａの少なくともポップアップ片２１及び／又は突出片２９の表面に絵柄又は文字から成るデザインを施し、このデザインを宣伝広告用とすることにより、商品の拡販を図ることを目的としたり、あるいはこのデザインを簡単な文字や数字、あるいはキャラクター等の絵柄とすることにより乳幼児の知育目的にも適用することができる。また、ポップアップ片２１、突出片２９、左右扉部１２Ｌ，１２Ｒの両面等に関連する絵柄等のデザインが施されているとより好ましい。
【００３１】
なお、本発明の内容をより明確にするために、本発明に係る折り畳みシートの見本を撮影した写真を図１２〜図２６に添付する。
【００３２】
以上のとおり構成された本発明に係る折り畳みシート体によれば、例えば左シート面の端部に数字の１０を、中央の円板の表面に÷印を、右シート面の端部に数字の２を夫々記載しておき、１０÷２はいくつとの質問に対する答え、すなわち数字の５を突出片に記載しておくことにより、子供の算数教育を始め、その他乳幼児の知育目的に役立てることができる。
【００３３】
また、本発明に係る折り畳みシート体は折り畳んだ状態では薄い一枚のシートであるので、書籍を始め、各種の商品の付録として添付することは十分に可能である。
【図面の簡単な説明】
【００３４】
【図１】本発明に係る折り畳みシート体の展開正面図である。
【図２】本発明に係る折り畳みシート体の展開背面図である。
【図３】図１及び図２に示す折り畳みシート体の組み立て方法を順に示す説明図である。
【図４】図１及び図２に示す折り畳みシート体の組み立て方法を順に示す説明図である。
【図５】本発明に係る折り畳みシート体に使用されるポップアップ片の展開平面図である。
【図６】図４に背面図で示される折り畳みシート体の上面図である。
【図７】図６に示される折り畳みシート体の使用方法説明図である。
【図８】図６に示される折り畳みシート体の使用方法説明図である。
【図９】図８に示される紙葉最終時における折り畳みシート体の背面図である。
【図１０】図８に示される使用最終時における折り畳みシート体の斜視図である。
【図１１】本発明に係る折り畳みシート体の他の実施形態を示す斜視図である。
【図１２】本発明の実施形態に係る折り畳みシート体の使用開始前の状態（閉じた状態）を写真で示す正面図である。
【図１３】図１２に写真で示す折り畳みシート体の背面図である。
【図１４】図１２に写真で示す折り畳みシート体の平面図である。
【図１５】図１２に写真で示す折り畳みシート体の底面図である。
【図１６】図１２に写真で示す折り畳みシート体の左側面図である。
【図１７】図１２に写真で示す折り畳みシート体の右側面図である。
【図１８】本発明の実施形態に係る折り畳みシート体の使用時の状態（完全に開いた状態）を写真で示す正面図である。
【図１９】図１８に写真で示す折り畳みシート体の背面図である。
【図２０】図１８に写真で示す折り畳みシート体の平面図である。
【図２１】図１８に写真で示す折り畳みシート体の底面図である。
【図２２】図１８に写真で示す折り畳みシート体の左側面図である。
【図２３】図１８に写真で示す折り畳みシート体の右側面図である。
【図２４】本発明の実施形態に係る折り畳みシート体の使用開始時の状態（閉じた状態から開き始める状態）を写真で示す参考図である。
【図２５】本折り畳みシート体の使用途中の状態を写真で示す参考図である。
【図２６】本折り畳みシート体の使用時の状態（開いた状態）を写真で示す参考図である。
【符号の説明】
【００３５】
１０                        本発明に係る折り畳みシート体
１０Ａ                      折り畳みシート本体
１１                        横長矩形状シート体
１２                        中央シート面
１２Ｌ，１２Ｒ              （中央シート面の）扉部
１２Ｓ                      ストッパ
１３                        左シート面
１４                        右シート面
１５                        第１スリット
１６                        第２スリット
１７                        第３スリット
１８                        第４スリット
１９                        第５スリット
２０                        第６スリット
２１                        ポップアップ片
２２                        基部
２３Ｒ，２３Ｌ              糊代部
２４                        連結部
２５〜２８                  折り線
２９                        突出片
【図１】
0004596434.tif 000002
【図２】
0004596434.tif 000003
【図３】
0004596434.tif 000004
【図４】
0004596434.tif 000005
【図５】
0004596434.tif 000006
【図６】
0004596434.tif 000007
【図７】
0004596434.tif 000008
【図８】
0004596434.tif 000009
【図９】
0004596434.tif 000010
【図１０】
0004596434.tif 000011
【図１１】
0004596434.tif 000012
【図１２】
0004596434.tif 000013
【図１３】
0004596434.tif 000014
【図１４】
0004596434.tif 000015
【図１５】
0004596434.tif 000016
【図１６】
0004596434.tif 000017
【図１７】
0004596434.tif 000018
【図１８】
0004596434.tif 000019
【図１９】
0004596434.tif 000020
【図２０】
0004596434.tif 000021
【図２１】
0004596434.tif 000022
【図２２】
0004596434.tif 000023
【図２３】
0004596434.tif 000024
【図２４】
0004596434.tif 000025
【図２５】
0004596434.tif 000026
【図２６】
0004596434.tif 000027